(57)【要約】【課題】容器口部に対するキャップの装着操作を困難にせしめる等の別個の問題を生成せしめることなく、開栓時におけるキャップの容器口部からのすっぽ抜け現象を確実に阻止するキャップ、及びキャップと容器の組合せの提供。【解決手段】天面壁１０と筒状スカート壁１１とを含み、スカート壁には周方向弱化ライン１２が形成されていて、スカート壁は主部１３とタンパーエビデント裾部１４とに区画されており、主部には雌螺条２０が形成されているタンパーエビデント特性を有するキャップＡにおいて、タンパーエビデント裾部の内周面には可撓性のフラップ２２が形成されており、フラップの上方近傍には、突条２３が形成されており、フラップは、開栓の際に突条と容器口部Ｂのあご部３０との間に挟み込まれて、タンパーエビデント裾部の上方への移動を阻止するようにした。【選択図】  図１
2005022695.tif 000002
【特許請求の範囲】
【請求項１】
天面壁と該天面壁の周縁から垂下する筒状スカート壁とを含み、該スカート壁には周方向に延在する周方向弱化ラインが形成されていて、
該スカート壁は該周方向弱化ラインよりも上方の主部と該周方向弱化ラインよりも下方のタンパーエビデント裾部とに区画されており、
該主部の内周面には雌螺条が形成されているタンパーエビデント特性を有するキャップにおいて、
該タンパーエビデント裾部の内周面には半径方向内方かつ上方に向かって突出する可撓性のフラップが形成されており、該フラップの上方近傍には、突条が形成されており、
該フラップは、開栓の際に該突条と容器口部のあご部との間に挟み込まれて、該タンパーエビデント裾部の上方への移動を阻止するようにしたことを特徴とするキャップ。
【請求項２】
容器口部のあご部の上方には、該スカート壁の該雌螺条に対応する雄螺条が形成されている容器と、
天面壁と該天面壁の周縁から垂下する筒状スカート壁とを含み、
該スカート壁には周方向に延在する周方向弱化ラインが形成されていて、
該スカート壁は該周方向弱化ラインよりも上方の主部と該周方向弱化ラインよりも下方のタンパーエビデント裾部とに区画されており、
該主部の内周面には雌螺条が形成されているタンパーエビデント特性を有するキャップとの組合せにおいて、
該タンパーエビデント裾部の内周面には半径方向内方かつ上方に向かって突出する可撓性のフラップが形成されており、該フラップの上方近傍には、突条が形成されており、
該フラップは、開栓の際に該突条と該容器口部の該あご部との間に挟み込まれて、該タンパーエビデント裾部の上方への移動を阻止するようにしたことを特徴とするキャップと容器の組合せ。
【請求項３】
前記容器は、容器口部の先端にカール部が形成され、該カール部の下方に前記雄螺条が形成され、雄螺条の下方に前記あご部が形成された金属材料からなる請求項２記載のキャップと容器の組合せ。
【発明の詳細な説明】
【０００１】
【発明の属する技術分野】
本発明は、キャップ、および該キャップと容器の組合せに関し、詳しくは、キャップ装着時における容器との密着性を向上させたキャップの構造及びそのキャップを用いた容器との組合わせに関する。
【０００２】
【従来の技術】
清涼飲料等のための容器として、周知の如く、円筒状容器口部の外周面に雄螺条とこの雄螺条の下方に位置する環状あご部とが形成されている形態の容器が広く実用に供されている。
そして、かかる容器のためのタンパーエビデント特性を有する容器用キャップとして、天面壁と該天面壁の周縁から垂下する筒状スカート壁とを含み、該スカート壁には周方向に延在する周方向弱化ラインが形成されていて、該スカート壁は該周方向弱化ラインよりも上方の主部と該周方向弱化ラインよりも下方のタンパーエビデント裾部とに区画されており、該主部の内周面には雌螺条が形成され、タンパーエビデント裾部の内周面には半径方向内方に向かって上方に傾斜して突出する係止片が形成されている形態の合成樹脂製キャップが提案され実用に供されている。
【０００３】
かかる従来の合成樹脂製キャップにおいて、容器内に内容物を収容した後に容器口部を密封する際には、容器口部にキャップを被嵌し、キャップを所定閉回転方向に回転せしめて容器口部の雄螺条にキャップの雌螺条を螺合せしめる。雄螺条と雌螺条との螺合に起因してキャップは閉回転方向への回転と共に下降せしめられ、キャップのタンパーエビデント裾部の内周面に形成されている係止片は半径方向外方に弾性的に撓んで容器口部の環状あご部を通過し、その後、弾性的に復元して環状あご部の下面に係止せしめられる。
【０００４】
一方、容器口部を開栓するためには、キャップを反対方向即ち開回転方向に回転せしめると、キャップの雌螺条が容器口部の雄螺条に沿って移動せしめられる故に、キャップは開回転方向への回転と共に上昇せしめられる。すると、キャップのタンパーエビント裾部は、その内周面に形成されている係止片が容器口部の環状あご部の下面に係止されている故に上昇することができず、従って周方向弱化ラインに応力が生成されて周方向弱化ラインが周方向全体に渡って破断され、タンパーエビデント裾部がスカート壁の主部から分離される。その後、分離されたタンパーエビデント裾部を容器口部に残留せしめて、キャップのその他の部分（天面壁とスカート壁の主部）が容器口部から離脱され、容器口部が開栓される。タンパーエビデント裾部に軸線方向弱化ラインが形成されている場合には、周方向弱化ラインはその一部が破断されることなく維持され、軸線方向破断ラインが破断されることによってタンパーエビデント裾部が無端環状から有端帯状に展開され、かくして環状あご部に対する係止片の係止が解除され、タンパーエビデント裾部を含むキャップの全体が容器口部から離脱される。
【０００５】
しかしながら、上述した形態のキャップにおいては、係止片の弾性変形等に起因して、周方向弱化ライン（及び軸線方向弱化ライン）が破断されることなく、係止片が環状あご部を通過して上昇しキャップの全体が容器口部から離脱されてしまう、いわゆる「すっぽ抜け現象」が発生する虞がある。
【０００６】
かかる「すっぽ抜け現象」の発生を防止するものとして、例えば、特許文献１には、係止片が水平に対して傾斜角度αをなして傾斜して突出する係止片の下面にロック突条が形成されており、タンパーエビデント裾部の内周面には、係止片よりも下方にて半径方向内方に向かって上方に、水平に対して傾斜角度αよりも大きい傾斜角度βをなして傾斜して突出するロック片が形成されており、該ロック片の先端が、該係止片の該ロック突条に係合せしめられることを特徴とする合成樹脂製キャップが開示されている。
【０００７】
しかしながら、上記特許文献１の合成樹脂製キャップでは、前記容器に形成される環状あご部の下部形状が緩やかになったり、或いは十分に外方に突出して形成されていない場合においては、前記係止片が前記環状あご部に係止されず、いわゆる「すっぽ抜け現象」の発生を十分確実に防止することができないという問題があった。
特に、金属材料を用いて形成された金属製容器との組合わせの場合においては、成形要因から金属製容器に形成される環状あご部の形状が、合成樹脂製の容器に比べて外方への張り出しが十分でなく、且つ環状あご部の下部形状が緩やかであり、タンパーエビデント特性を確実に達成することができないという問題があった。
【０００８】
【特許文献１】
特開平８−３４４５８号公報
【０００９】
【発明が解決しようとする課題】
本発明は、上記従来技術の問題点を解消し、周方向弱化ライン（及び軸線方向弱化ライン）が破断されることなく、いわゆる「すっぽ抜け現象」の発生が十分確実に回避される、新規且つ改良されたキャップ、及び該キャップと容器の組合せを提供することである。
また、本発明の別の課題は、容器口部に対するキャップの装着操作を困難にせしめる等の別個の問題を生成せしめることなく、開栓時におけるキャップの容器口部からのすっぽ抜け現象を確実に阻止することができるキャップ、及び該キャップと容器の組合せを提供することである。
【００１０】
【課題を解決するための手段】
本発明者は、鋭意研究の結果、キャップのタンパーエビデント裾部の内周面に所定のフラップと突条を形成すると、開栓の際にフラップが突条と容器口部のあご部との間に挟み込まれて、該タンパーエビデント裾部の上方への移動を阻止することによって、いわゆる「すっぽ抜け現象」の発生を十分確実に回避でき、ブリッジリーク（ＢＬ）角度にも優位になることを見出し、本発明に到達した。
【００１１】
即ち、請求項１記載のキャップは、天面壁と該天面壁の周縁から垂下する筒状スカート壁とを含み、該スカート壁には周方向に延在する周方向弱化ラインが形成されていて、該スカート壁は該周方向弱化ラインよりも上方の主部と該周方向弱化ラインよりも下方のタンパーエビデント裾部とに区画されており、
該主部の内周面には雌螺条が形成されているタンパーエビデント特性を有するキャップにおいて、
該タンパーエビデント裾部の内周面には半径方向内方かつ上方に向かって突出する可撓性のフラップが形成されており、該フラップの上方近傍には、突条が形成されており、
該フラップは、開栓の際に該突条と容器口部のあご部との間に挟み込まれて、該タンパーエビデント裾部の上方への移動を阻止するようにしたことを特徴とする。
【００１２】
また、請求項２記載のキャップと容器の組合せは、容器口部のあご部の上方には、該スカート壁の該雌螺条に対応する雄螺条が形成されている容器と、
天面壁と該天面壁の周縁から垂下する筒状スカート壁とを含み、
該スカート壁には周方向に延在する周方向弱化ラインが形成されていて、
該スカート壁は該周方向弱化ラインよりも上方の主部と該周方向弱化ラインよりも下方のタンパーエビデント裾部とに区画されており、
該主部の内周面には雌螺条が形成されているタンパーエビデント特性を有するキャップとの組合せにおいて、
該タンパーエビデント裾部の内周面には半径方向内方かつ上方に向かって突出する可撓性のフラップが形成されており、該フラップの上方近傍には、突条が形成されており、
該フラップは、開栓の際に該突条と該容器口部の該あご部との間に挟み込まれて、該タンパーエビデント裾部の上方への移動を阻止するようにしたことを特徴とする。
【００１３】
特に、前記容器は、容器口部の先端にカール部が形成され、該カール部の下方に前記雄螺条が形成され、雄螺条の下方に前記あご部が形成された金属材料からなるときに好適な組合せである。
【００１４】
上記のような構成によって、本発明のキャップ、および該キャップと容器の組合せにおいては、フラップが、開栓時において突条と容器口部のあご部の間に挟みこまれて、タンパーエビデント裾部の上方への移動が阻止されるので、周方向弱化ラインが破断されることなく、突条及びフラップが容器口部のあご部を通過して上昇することが確実に阻止され、キャップの全体が容器口部から離脱されてしまう、いわゆる「すっぽ抜け現象」の発生が十分確実に回避される。
【００１５】
【本発明の実施の形態】
以下、本発明に従って構成された合成樹脂製キャップの好適実施例について、添付図面を参照して更に詳細に説明する。
【００１６】
図１は、本発明の実施形態のキャップＡの閉栓前の状態を示す左半分側面断面図である。図２は、本発明の実施形態のキャップＡと容器口部Ｂとの組合せ状態を示す左半分側面断面図である。図３は、図２に示す、フラップ、突条およびあご部の拡大図である。
図１において、キャップＡは、略円形状の天面壁１０と天面壁１０の周縁から垂下する略円筒形状のスカート壁１１とを含む。
スカート壁１１には周方向に延在する周方向弱化ライン１２が形成されていて、スカート壁１１は周方向弱化ライン１２よりも上方の主部１３と周方向弱化ライン１２よりも下方のタンパーエビデント裾部１４とに区画されている。
【００１７】
周方向弱化ライン１２は、周方向に間隔をおいて周方向に延びる複数個のスリット１５と、スリット１５間に位置する複数個の橋絡部１６とから構成されている。尚、橋絡部１６のうちの１個を、他の橋絡部に比べて横断面積を大きくせしめて強度を増大せしめた非破断橋絡部としても良い。
【００１８】
本実施形態のキャップＡにおいて、スカート壁１１の内周面に、下方を向いた環状肩部１７が形成されており、かかる環状肩部１７よりも下方の内径はそれよりも上方の内径よりも幾分大きく設定されている。そして、かかる環状肩部１７の直ぐ下方の部位において、スカート壁１１の内周面には周方向に間隔をおいて軸線方向に延びる複数個のリブ１８が形成されている。周方向弱化ライン１２は、リブ１８を残してスカート壁１１を周方向に切断することによって形成される。
この切断は、複数個のリブ１８の一部（残留部）を残してスカート壁１１の外周面から図示しないカッターを用いて周方向全体に渡って切断する。従って、周方向弱化ライン１２よりも上方の主部１３と周方向弱化ライン１２よりも下方のタンパーエビデント裾部１４は残留部によって接続されている。複数個のリブ１８の残留部が橋絡部１６を規定し、複数個のリブ１８間の切断ラインがスリット１５を規定している。
【００１９】
本実施形態のキャップＡにおいて、スカート壁１１の主部１３の外周面には、そこに係止せしめられる指の滑りを防止するための凹凸形状１９が形成されている。スカート壁１１の主部１３の内周面には雌螺条２０が形成されている。かかる雌螺条２０には軸線方向に延びる通気切欠２１が周方向に間隔をおいて形成されている。
【００２０】
本実施形態のキャップＡは、スカート壁１１のタンパーエビデント裾部１４の内周面には半径方向内方かつ上方に向かって突出する可撓性のフラップ２２が形成されていることを特徴とする。
フラップ２２の長さは、２〜８ｍｍ、好ましくは３〜４ｍｍであり、厚さは、０．２〜１．５ｍｍ、好ましくは０．３〜０．６ｍｍである。
本実施形態のフラップ２２は、周方向に連続して延びる環状の係止片として形成されているが、所望により、周方向に間隔をおいて複数個のフラップ２２を形成することもできる。また、フラップ２２の各々の基縁（キャップのタンパーエビデント裾部１４との接合部）は、実質上周方向で水平に形成されていることが好ましい。
【００２１】
本実施形態のキャップＡは、更に、フラップ２２の上方近傍には突条２３が形成されている。
突条２３は、本実施形態において、フラップ２２の周方向の全周に亘って延在して形成されているが、所望により、周方向に間隔をおいて複数個形成することもできる。
突条２３の高さは、０．５〜１．２ｍｍ、好ましくは０．８〜０．９ｍｍであり、上部角度は、キャップの軸線と直行する面に対して１０°〜７０°、好ましくは４０°〜５０°である。
【００２２】
本実施形態においては、このようにスカート壁１１のタンパーエビデント裾部１４の内周面には半径方向内方かつ上方に向かって突出する可撓性のフラップ２２が形成され、更に、フラップ２２の上方近傍には突条２３が形成されていることにより、ブリッジリーク（ＢＬ）角度にも優位となる。即ち、ブリッジリーク（ＢＬ）角度とは、開栓時にブリッジが破断するまでの回転角度（ブリッジブレイク角度）と密封が解除されるまでの回転角度（リーク角度）との差のことをいう。従って、密封が解除する前にブリッジ破断（開栓した証拠）がより早く行われるほど、タンパーエビデント性は優れていることになる。
【００２３】
フラップ２２の形成は、半径方向内方且つ下方に突出する形態に成形する。このような形態に成形すると、成形型として複雑且つ高価な所謂割型を使用する必要がなく、成形型からの取り出しの際の所謂無理抜きを比較的容易に遂行することができるのである。
そして、フラップ２２は、成形型から取り出した後に、適当な治具により半径方向内方且つ上方に突出する形態に変形される。或いは、キャップを容器口部に装着する際において、フラップ２２は可撓性を有しているので、容器口部の外周に沿って上方に変形せしめられて、突条２３と容器口部のあご部３０との間に挟み込まれて装着されるようにすることも可能である。
【００２４】
また、スカート壁１１のタンパーエビデント裾部１４には、所望により、軸線方向に延在する軸線方向弱化ラインが形成されていてもよい。
軸線方向弱化ラインを形成する場合、その上端は、周方向弱化ライン１２における非破断橋絡部の片端に近接せしめられることになる。このような軸線方向弱化ラインは、スリット（切溝）と破断可能な橋絡部との組合せ、或いはスリットとスコア（厚さ方向全体ではなくて厚さ方向に部分的に切り込んで生成される薄肉部）との組合せから好都合に構成することができる。
【００２５】
本実施形態のキャップＡにおいては、天面壁１０の内面には容器口部を密封するためのシール部２４が設けられている。このシール部２４は、容器口部内面と係止するインナーリング２５と容器口部外面と係止するアウターリング２６と容器口部上面と係止する天面突部２７からなる。
【００２６】
キャップＡの材料は、ポリプロピレン、硬質ポリエチレン等の合成樹脂で形成されるのが好ましい。
【００２７】
図２は、本実施形態のキャップＡと容器口部Ｂとの組合せ状態を示す、左半分側面断面図である。キャップＡは、本実施形態のキャップＡの項で既に説明したものと同じものである。
容器口部Ｂは、容器口部Ｂのあご部３０の上方の外周面に、キャップＡのスカート壁の雌螺条２０に対応する雄螺条３１が形成されており、全体として略円筒形状である。
あご部３０は、キャップＡ側へ大きく張り出しており、開栓時に、フラップ２２を突条２３との間に挟みこみ、タンパーエビデント裾部１４の上方への移動を阻止する。
あご部３０の張り出し量は、０．５〜２ｍｍ、好ましくは０．８〜１ｍｍである。また、下部角度は、１０°〜７０°、好ましくは４０°〜５０°である。あご部３０の張り出し量及び下部角度を上記範囲内とすることにより、キャップＡと容器口部Ｂとがより密着し「すっぽ抜け現象」を起こさず容易にブリッジを破断することが可能となる。
【００２８】
容器口部Ｂを含む容器の材料は、ポリエチレンテレフタレート等の合成樹脂、ガラス等のいずれであっても良いが、本発明のキャップは、あご部の下部形状が緩やかになったり、或いは半径方向外方への張り出し加工を十分に行うことが難しい、アルミやスチール等の金属容器に好適である。
また、容器の内容物としては、お茶やジュース等の清涼飲料、アルコール等種々の液体が挙げられるが、特に限定されない。
【００２９】
次に、容器口部Ｂを開栓する際の手順について説明する。
まず、キャップＡを開回転方向、即ち、図２において、上方（天面壁の上方）から見て反時計方向に回転せしめる。このようにすると、キャップＡのスカート壁１１における主部１３の内周面に形成されている雌螺条２０が容器口部Ｂの外周面に形成されている雄螺条３１に沿って移動せしめられるため、キャップＡは回転と共に上昇せしめられる。
【００３０】
一方、キャップＡのスカート壁１１におけるタンパーエビデント裾部１４の内周面に形成されているフラップ２２は、図３に示すように、開栓の際に突条２３と容器口部のあご部３０との間に挟みこまれて、タンパーエビデント裾部１４の上方への移動を阻止する。このようにして、キャップＡのスカート壁１１に形成されている周方向弱化ライン１２における橋絡部１６に相当な応力が生成され、全ての橋絡部１６が破断される。
【００３１】
キャップＡがある程度まで上昇すると、キャップＡのシール部２４が容器口部Ｂの上端から離隔せしめられ、容器口部Ｂの上端とシール部２４との間及び雌螺条２０に形成されている通気切欠２１（図１参照）を通して容器内が外部と連通せしめられる。
【００３２】
このように、キャップＡが開回転方向に回転せしめられて上昇せしめられる際に、容器口部Ｂのあご部３０の下面に係止せしめられているフラップ２２には、それを下方に変形せしめる方向の力が、あご部３０の下面から加えられ、開栓の際に突条２３と容器口部のあご部３０との間に挟みこまれて、タンパーエビデント裾部１４の上方への移動を効果的に阻止する。
従って、いわゆる「すっぽ抜け現象」、すなわち、周方向弱化ライン１２における橋絡部１６を破断せしめることなく、突条２３及びフラップ２２があご部３０を通過して上昇し、その結果、キャップＡの全体が容器口部Ｂから離脱されてしまう現象が、確実に回避される。
【００３３】
このようにして、容器口部Ｂのあご部３０にフラップ２２が係止されたまま、タンパーエビデント裾部１４は、容器口部Ｂ下方部に取り残され、スカート壁の主部１３のみが上昇を続ける。
その後、キャップＡの主部１３のみが容器口部Ｂから離脱され、容器口部Ｂが完全に開栓される。
【００３４】
次に、容器口部Ｂを閉栓する際の手順について説明する。
内容物を容器に充填した後に、容器口部ＢにキャップＡが装着されて容器口部Ｂが密封される。容器口部ＢにキャップＡを装着する際には、容器口部ＢにキャップＡを被嵌し、キャップＡを閉回転方向、即ち図２において上方から見て時計方向に回転せしめ、キャップＡのスカート壁１１における主部１３の内周面に形成されている雌螺条２０を容器口部Ｂの外周面に形成されている雄螺条３１に螺合せしめる。
キャップＡにおけるスカート壁１１のタンパーエビデント裾部１４の内周面に形成されているフラップ２２及び突条２３は、容器口部Ｂとの隙間に挿入されることにより、弾性的に変形せしめられて容器口部Ｂのあご部３０を通過して下降し、その後、図２、図３に示す状態のように、フラップ２２があご部３０の下面の下方に位置せしめられる。
フラップ２２及び突条２３が、あご部３０を通過して閉栓される際には、フラップ２２及び突条２３は、弾性的に上方及び半径方向外方に変形せしめられるので、フラップ２２及び突条２３を敷設したことに起因して、容器口部ＢへのキャップＡの装着操作が困難になることはない。
容器口部ＢにキャップＡが装着されると、キャップＡの天面壁１０の内面に形成されているシール部２４が、容器口部Ｂの上端部に密接せしめられ、これによって容器口部Ｂが密封される。
【００３５】
上記実施形態においては、全ての橋絡部１６が破断され、タンパーエビデント裾部１４がスカート壁の主部１３から完全に分離され、スカート壁の主部１３は容器口部Ｂに残留せしめられる。所望ならば、橋絡部１６のうちの１個を、他の橋絡部に比べて横断面積を大きくせしめて強度を増大せしめた非破断橋絡部にせしめると共に、タンパーエビデント裾部１４に軸線方向に延在する軸線方向弱化ラインを形成し、開栓の際には、橋絡部１６と共に軸線方向弱化ラインが破断されてせしめて、タンパーエビデント裾部１４が無端環状から有端帯状に展開されて、非破断橋絡部を介してスカート壁の主部１３に接続されたタンパーエビデント裾部１４も容器口部Ｂから離脱されるようにすることもできる。
【００３６】
【発明の効果】
本発明によれば、容器口部に対するキャップの装着操作を困難にせしめる等の別個の問題を生成せしめることなく、開栓時におけるキャップの容器口部からのすっぽ抜け現象を確実に阻止することができる。
【図面の簡単な説明】
【図１】本発明の実施形態のキャップＡの左半分側面断面図である。
【図２】本発明の実施形態のキャップＡと容器口部Ｂとの組合せ状態を示す左半分側面断面図である。
【図３】図２に示す、フラップ、突条およびあご部の拡大図である。
【符号の説明】
Ａ  キャップ
Ｂ  容器口部
１０  天面壁
１１  スカート壁
１２  周方向弱化ライン
１３  スカート壁の主部
１４  タンパーエビデント裾部
１５  スリット
１６  橋絡部
１７  環状肩部
１８  リブ
１９  凹凸形状
２０  雌螺条
２１  通気切欠
２２  フラップ
２３  突条
２４  シール部
２５  インナーリング
２６  アウターリング
２７  天面突部
３０  あご部
３１  雄螺条
【図１】
2005022695.tif 000003
【図２】
2005022695.tif 000004
【図３】
2005022695.tif 000005